【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
第１の階層の印刷設定情報として用紙サイズに関する情報を設定する第１サイズ設定手段と、
前記第１の階層よりも低い第２の階層の印刷設定情報として用紙サイズに関する情報を設定する第２サイズ設定手段と、
前記第１サイズ設定手段により設定された用紙サイズに関する情報と前記第２サイズ設定手段により設定された用紙サイズに関する情報とが異なる場合、前記第１の階層よりも低い第２の階層の用紙サイズを採用する採用手段と、
を有することを特徴とする情報処理装置。
【請求項２】
前記第１サイズ設定手段は、アプリケーションにより提供される文書全体用の設定画面を介して受け付けられた指示に従って前記用紙サイズに関する情報を設定し、
前記第２サイズ設定手段は、アプリケーションにより提供される章用の設定画面を介して受け付けられた指示に従って前記用紙サイズに関する情報を設定することを特徴とする請求項１に記載の情報処理装置。
【請求項３】
第１の階層の印刷設定情報として用紙方向に関する情報を設定する第１方向設定手段と、
前記第１の階層よりも低い第２の階層の印刷設定情報として用紙方向に関する情報を設定する第２方向設定手段と、
前記第１方向設定手段により設定された用紙方向に関する情報と前記第２方向設定手段により設定された用紙方向に関する情報とが異なる場合、前記第１の階層よりも低い第２の階層の用紙方向を採用する採用手段と、
を有することを特徴とする情報処理装置。
【請求項４】
前記第１方向設定手段は、アプリケーションにより提供される文書全体用の設定画面を介して受け付けられた指示に従って前記用紙方向に関する情報を設定し、
前記第２方向設定手段は、アプリケーションにより提供される章用の設定画面を介して受け付けられた指示に従って前記用紙方向に関する情報を設定することを特徴とする請求項３に記載の情報処理装置。
【請求項５】
第１の階層の印刷設定情報として１枚の用紙の面に配置されるページの数を示すＮ−ｕｐに関する情報を設定する第１Ｎ−ｕｐ設定手段と、
前記第１の階層よりも低い第２の階層の印刷設定情報として１枚の用紙の面に配置されるページの数を示すＮ−ｕｐに関する情報を設定する第２Ｎ−ｕｐ設定手段と、
前記第１Ｎ−ｕｐ設定手段により設定されたＮ−ｕｐに関する情報と前記第２Ｎ−ｕｐ設定手段により設定されたＮ−ｕｐに関する情報とが異なる場合、前記第１の階層よりも低い第２の階層のＮ−ｕｐを採用する採用手段と、
を有することを特徴とする情報処理装置。
【請求項６】
前記第１Ｎ−ｕｐ設定手段は、アプリケーションにより提供される文書全体用の設定画面を介して受け付けられた指示に従って前記Ｎ−ｕｐに関する情報を設定し、
前記第２Ｎ−ｕｐ設定手段は、アプリケーションにより提供される章用の設定画面を介して受け付けられた指示に従って前記Ｎ−ｕｐに関する情報を設定することを特徴とする請求項５に記載の情報処理装置。
【請求項７】
第１の階層の印刷設定情報として拡大縮小に関する情報を設定する第１拡大縮小設定手段と、
前記第１の階層よりも低い第２の階層の印刷設定情報として拡大縮小に関する情報を設定する第２拡大縮小設定手段と、
前記第１拡大縮小設定手段により設定された拡大縮小に関する情報と前記第２拡大縮小設定手段により設定された拡大縮小に関する情報とが異なる場合、前記第１の階層よりも低い第２の階層の拡大縮小に関する情報を採用する採用手段と、
を有することを特徴とする情報処理装置。
【請求項８】
前記第１拡大縮小設定手段は、アプリケーションにより提供される文書全体用の設定画面を介して受け付けられた指示に従って前記拡大縮小に関する情報を設定し、
前記第２拡大縮小設定手段は、アプリケーションにより提供される章用の設定画面を介して受け付けられた指示に従って前記拡大縮小に関する情報を設定することを特徴とする請求項７に記載の情報処理装置。
【請求項９】
第１の階層の印刷設定情報として排紙方法に関する情報を設定する第１排紙設定手段と、
前記第１の階層よりも低い第２の階層の印刷設定情報として排紙方法に関する情報を設定する第２排紙設定手段と、
前記第１排紙設定手段により設定された排紙方法に関する情報と前記第２排紙設定手段により設定された排紙方法に関する情報とが異なる場合、前記第１の階層よりも低い第２の階層の排紙方法に関する情報を採用する採用手段と、
を有することを特徴とする情報処理装置。
【請求項１０】
前記第１排紙設定手段は、アプリケーションにより提供される文書全体用の設定画面を介して受け付けられた指示に従って前記排紙方法に関する情報を設定し、
前記第２排紙設定手段は、アプリケーションにより提供される章用の設定画面を介して受け付けられた指示に従って前記排紙方法に関する情報を設定することを特徴とする請求項９に記載の情報処理装置。
【請求項１１】
コンピュータを、
第１の階層の印刷設定情報として用紙サイズに関する情報を設定する第１サイズ設定手段と、
前記第１の階層よりも低い第２の階層の印刷設定情報として用紙サイズに関する情報を設定する第２サイズ設定手段と、
前記第１サイズ設定手段で設定された用紙サイズに関する情報と前記第２サイズ設定手段で設定された用紙サイズに関する情報とが異なる場合、前記第１の階層よりも低い第２の階層の用紙サイズを採用する採用手段として機能させるためのプログラム。
【請求項１２】
前記第１サイズ設定手段は、アプリケーションにより提供される文書全体用の設定画面を介して受け付けられた指示に従って前記用紙サイズに関する情報を設定し、
前記第２サイズ設定手段は、アプリケーションにより提供される章用の設定画面を介して受け付けられた指示に従って前記用紙サイズに関する情報を設定することを特徴とする請求項１１に記載のプログラム。
【請求項１３】
コンピュータを、
第１の階層の印刷設定情報として用紙方向に関する情報を設定する第１方向設定手段と、
前記第１の階層よりも低い第２の階層の印刷設定情報として用紙方向に関する情報を設定する第２方向設定手段と、
前記第１方向設定手段で設定された用紙方向に関する情報と前記第２方向設定手段で設定された用紙方向に関する情報とが異なる場合、前記第１の階層よりも低い第２の階層の用紙方向を採用する採用手段として機能させるためのプログラム。
【請求項１４】
前記第１方向設定手段は、アプリケーションにより提供される文書全体用の設定画面を介して受け付けられた指示に従って前記用紙方向に関する情報を設定し、
前記第２方向設定手段は、アプリケーションにより提供される章用の設定画面を介して受け付けられた指示に従って前記用紙方向に関する情報を設定することを特徴とする請求項１３に記載のプログラム。
【請求項１５】
コンピュータを、
第１の階層の印刷設定情報として１枚の用紙の面に配置されるページの数を示すＮ−ｕｐに関する情報を設定する第１Ｎ−ｕｐ設定手段と、
前記第１の階層よりも低い第２の階層の印刷設定情報として１枚の用紙の面に配置されるページの数を示すＮ−ｕｐに関する情報を設定する第２Ｎ−ｕｐ設定手段と、
前記第１Ｎ−ｕｐ設定手段で設定されたＮ−ｕｐに関する情報と前記第２Ｎ−ｕｐ設定手段で設定されたＮ−ｕｐに関する情報とが異なる場合、前記第１の階層よりも低い第２の階層のＮ−ｕｐを採用する採用手段として機能させるためのプログラム。
【請求項１６】
前記第１Ｎ−ｕｐ設定手段は、アプリケーションにより提供される文書全体用の設定画面を介して受け付けられた指示に従って前記Ｎ−ｕｐに関する情報を設定し、
前記第２Ｎ−ｕｐ設定手段は、アプリケーションにより提供される章用の設定画面を介して受け付けられた指示に従って前記Ｎ−ｕｐに関する情報を設定することを特徴とする請求項１５に記載のプログラム。
【請求項１７】
コンピュータを、
第１の階層の印刷設定情報として拡大縮小に関する情報を設定する第１拡大縮小設定手段と、
前記第１の階層よりも低い第２の階層の印刷設定情報として拡大縮小に関する情報を設定する第２拡大縮小設定手段と、
前記第１拡大縮小設定手段で設定された拡大縮小に関する情報と前記第２拡大縮小設定手段で設定された拡大縮小に関する情報とが異なる場合、前記第１の階層よりも低い第２の階層の拡大縮小に関する情報を採用する採用手段として機能させるためのプログラム。
【請求項１８】
前記第１拡大縮小設定手段は、アプリケーションにより提供される文書全体用の設定画面を介して受け付けられた指示に従って前記拡大縮小に関する情報を設定し、
前記第２拡大縮小設定手段は、アプリケーションにより提供される章用の設定画面を介して受け付けられた指示に従って前記拡大縮小に関する情報を設定することを特徴とする請求項１７に記載のプログラム。
【請求項１９】
コンピュータを、
第１の階層の印刷設定情報として排紙方法に関する情報を設定する第１排紙設定手段と、
前記第１の階層よりも低い第２の階層の印刷設定情報として排紙方法に関する情報を設定する第２排紙設定手段と、
前記第１排紙設定手段で設定された排紙方法に関する情報と前記第２排紙設定手段で設定された排紙方法に関する情報とが異なる場合、前記第１の階層よりも低い第２の階層の排紙方法に関する情報を採用する採用手段として機能させるためのプログラム。
【請求項２０】
前記第１排紙設定手段は、アプリケーションにより提供される文書全体用の設定画面を介して受け付けられた指示に従って前記排紙方法に関する情報を設定し、
前記第２排紙設定手段は、アプリケーションにより提供される章用の設定画面を介して受け付けられた指示に従って前記排紙方法に関する情報を設定することを特徴とする請求項１９に記載のプログラム。
【手続補正２】
【補正対象書類名】明細書
【補正対象項目名】発明の名称
【補正方法】変更
【補正の内容】
【発明の名称】情報処理装置及びプログラム
【手続補正３】
【補正対象書類名】明細書
【補正対象項目名】０００１
【補正方法】変更
【補正の内容】
【０００１】
本発明は、情報処理装置及びプログラムに関するものである。
【手続補正４】
【補正対象書類名】明細書
【補正対象項目名】０００９
【補正方法】変更
【補正の内容】
【０００９】
本発明は上記従来例に鑑みてなされたもので、印刷設定情報の単位、例えば、文書全体、章、ページのそれぞれに対して異なる設定を可能にした情報処理装置及びプログラムを提供することにある。
【手続補正５】
【補正対象書類名】明細書
【補正対象項目名】００１０
【補正方法】変更
【補正の内容】
【００１０】
上記目的を達成するために本発明の情報処理装置は以下のような構成を備える。即ち、
第１の階層の印刷設定情報として用紙サイズに関する情報を設定する第１サイズ設定手段と、
前記第１の階層よりも低い第２の階層の印刷設定情報として用紙サイズに関する情報を設定する第２サイズ設定手段と、
前記第１サイズ設定手段により設定された用紙サイズに関する情報と前記第２サイズ設定手段により設定された用紙サイズに関する情報とが異なる場合、前記第１の階層よりも低い第２の階層の用紙サイズを採用する採用手段と、を有することを特徴とする。